(57)【要約】【課題】チャンネルスキャン処理における視聴地域の設定の容易化を図る一方で、ユーザの意図に沿った地域を視聴地域として設定することができる放送受信装置を提供する。【解決手段】放送受信装置１００において、検出手段（検出プログラム１３６ｂ）は、所定のタイミングで、デジタルテレビジョン放送における各チャンネルの受信の可否を検出し、決定手段（決定プログラム１３６ｃ）は、検出手段による検出結果に基づいて、少なくとも、ローカル放送局のチャンネルが受信可能であるエリアが、視聴地域の候補として決定し、選択手段（選択プログラム１３６ｄ）は、決定手段により視聴地域の候補として決定されたエリアを表示部を表示させ、当該エリアのうちからユーザに一のエリアを選択させ、設定手段（設定プログラム１３６ｅ）は、選択手段によりユーザにより選択された一のエリアを、視聴地域として設定する。【選択図】図１
2010177844.tif 000002
【特許請求の範囲】
【請求項１】
視聴地域を設定して、デジタルテレビジョン放送信号を受信する受信手段を備える放送受信装置において、
各エリアにおけるローカル放送局のチャンネルを記憶する記憶手段と、
所定のタイミングで、デジタルテレビジョン放送における各チャンネルの受信の可否を検出する検出手段と、
前記検出手段による検出結果に基づいて、少なくとも、ローカル放送局のチャンネルが受信可能であるエリアを、視聴地域の候補として決定する決定手段と、
前記決定手段により前記視聴地域の候補として決定された前記エリアを表示部に表示し、当該エリアのうちからユーザに一のエリアを選択させる選択手段と、
前記選択手段によりユーザにより選択された一のエリアを、視聴地域として設定する設定手段と、
を備えることを特徴とする放送受信装置。
【請求項２】
前記選択手段は、
前記決定手段により前記視聴地域の候補として決定された前記エリアを、所定の条件に基づく順番で整列させて前記表示部に表示させることを特徴とする請求項１に記載の放送受信装置。
【請求項３】
各エリアに隣接する隣接エリアを記憶する第２記憶手段を備え、
前記決定手段は、
ローカル放送局のチャンネルが受信可能であるエリアに隣接する隣接エリアを前記第２記憶手段から取得して、取得した隣接エリアを、前記視聴地域の候補に加えることを特徴とする請求項１又は２に記載の放送受信装置。
【請求項４】
前記決定手段は、
複数のエリアに亘る広域圏のローカル放送局が受信可能である場合、当該広域圏に含まれる全エリアと、前記第２記憶手段から取得した当該広域圏に含まれるエリアに隣接する隣接エリアとを、前記視聴地域の候補に加えることを特徴とする請求項３に記載の放送受信装置。
【請求項５】
前記決定手段により決定された前記視聴地域の候補のうち、ローカル放送局のチャンネルが受信可能であるエリアのみを前記視聴地域の候補として表示させるか、又は、前記視聴地域の候補として決定された全エリアを表示させるかをユーザに設定させる表示設定手段を備え、
前記選択手段は、
前記表示設定手段による設定にしたがって、前記視聴地域の候補を表示部に表示することを特徴とする請求項３又は４に記載の放送受信装置。
【請求項６】
視聴地域を設定して、デジタルテレビジョン放送信号を受信する受信手段を備える放送受信装置において、
各エリアにおけるローカル放送局のチャンネルを記憶する第１記憶手段と、
各エリアに隣接する隣接エリアを記憶する第２記憶手段と、
所定のタイミングで、デジタルテレビジョン放送における各チャンネルの受信の可否を検出する検出手段と、
前記検出手段による検出結果に基づいて、ローカル放送局のチャンネルが受信可能であるエリアと、前記第２記憶手段から取得した当該エリアの隣接エリアと、を視聴地域の候補として決定するとともに、当該ローカル放送局のチャンネルが受信可能であるエリアが複数のエリアに亘る広域圏に含まれる場合、当該広域圏に含まれる全エリアと、前記第２記憶手段から取得した当該広域圏に含まれる全エリアの隣接エリアとを、前記視聴地域の候補として決定する決定手段と、
前記決定手段により決定された前記視聴地域の候補のうち、ローカル放送局のチャンネルが受信可能であるエリアのみを前記視聴地域の候補として表示させるか、又は、前記視聴地域の候補として決定された全エリアを表示させるかをユーザに設定させる表示設定手段と、
前記表示設定手段による設定にしたがって、前記決定手段により前記視聴地域の候補として決定された前記エリアを、所定の条件に基づく順番で整列させて表示部に表示し、当該エリアのうちからユーザに一のエリアを選択させる選択手段と、
前記選択手段によりユーザにより選択された一のエリアを、視聴地域として設定する設定手段と、
を備えることを特徴とする放送受信装置。
【発明の詳細な説明】
【技術分野】
【０００１】
本発明は、デジタルテレビジョン放送の受信を行う放送受信装置に関する。
【背景技術】
【０００２】
デジタルテレビジョン放送を視聴する放送受信装置では、放送受信装置の購入後に、受信可能なチャンネルをサーチするチャンネルスキャンを実施し、チャンネルスキャン処理により受信可能とされた周波数を装置に設定することで、番組の視聴が可能となる。
【０００３】
従来の放送受信装置では、チャンネルスキャンの開始前に、ユーザがリモートコントローラ（以下「リモコン」という）等を使って視聴者居住地域を選択する必要がある。この操作は、特に技術弱者にとって煩雑なものとなっており、ＡＲＩＢ規格により４７都道府県の区分となっていないことや、放送種別によって視聴地域の区分態様が異なることで、目的の視聴地域の選択肢に辿り着くまでに時間がかかる場合や目的の選択肢が容易に見つからない場合があった。
【０００４】
また、視聴地域を複数階層に区分して、広域（例えば、地方）から順に各階層の地域を選択することで視聴地域（例えば、都道府県）を設定する放送受信装置も知られている。しかしながら、この方法では操作工程が多く、操作が煩雑である。
【先行技術文献】
【特許文献】
【０００５】
【特許文献１】特開２００４−２８９４６４号公報
【発明の概要】
【発明が解決しようとする課題】
【０００６】
そこで、スキャン結果を基に、視聴地域を自動的に判別して設定する放送受信装置が知られている。このような放送受信装置では、ユーザの操作が不要となり、技術弱者であっても容易にチャンネルスキャンを実施できるという利点がある。しかしながら、チャンネルスキャン処理の結果によって自動的に視聴地域を設定すると、ユーザの意図に沿わない地域が視聴地域として設定される場合が有り、ユーザ選択の自由度が少ないという問題があった。また、近県の放送信号も受信可能な環境では、スキャン結果によっては、ユーザの居住地域に隣接する地域が誤って視聴地域として設定される恐れもある。
【０００７】
本発明の課題は、チャンネルスキャン処理における視聴地域の設定の容易化を図る一方で、ユーザの意図に沿った地域を視聴地域として設定することができる放送受信装置を提供することである。
【課題を解決するための手段】
【０００８】
上記課題を解決するため、請求項１に記載の発明は、視聴地域を設定して、デジタルテレビジョン放送信号を受信する受信手段を備える放送受信装置において、
各エリアにおけるローカル放送局のチャンネルを記憶する記憶手段と、
所定のタイミングで、デジタルテレビジョン放送における各チャンネルの受信の可否を検出する検出手段と、
前記検出手段による検出結果に基づいて、少なくとも、ローカル放送局のチャンネルが受信可能であるエリアを、視聴地域の候補として決定する決定手段と、
前記決定手段により前記視聴地域の候補として決定された前記エリアを表示部に表示し、当該エリアのうちからユーザに一のエリアを選択させる選択手段と、
前記選択手段によりユーザにより選択された一のエリアを、視聴地域として設定する設定手段と、
を備えることを特徴とする。
【０００９】
請求項２に記載の発明は、請求項１に記載の放送受信装置において、前記選択手段は、
前記決定手段により前記視聴地域の候補として決定された前記エリアを、所定の条件に基づく順番で整列させて前記表示部に表示させることを特徴とする。
【００１０】
請求項３に記載の発明は、請求項１又は２に記載の放送受信装置において、各エリアに隣接する隣接エリアを記憶する第２記憶手段を備え、
前記決定手段は、
ローカル放送局のチャンネルが受信可能であるエリアに隣接する隣接エリアを前記第２記憶手段から取得して、取得した隣接エリアを、前記視聴地域の候補に加えることを特徴とする。
【００１１】
請求項４に記載の発明は、請求項３に記載の放送受信装置において、前記決定手段は、
複数のエリアに亘る広域圏のローカル放送局が受信可能である場合、当該広域圏に含まれる全エリアと、前記第２記憶手段から取得した当該広域圏に含まれるエリアに隣接する隣接エリアとを、前記視聴地域の候補に加えることを特徴とする。
【００１２】
請求項５に記載の発明は、請求項３又は４に記載の放送受信装置において、前記決定手段により決定された前記視聴地域の候補のうち、ローカル放送局のチャンネルが受信可能であるエリアのみを前記視聴地域の候補として表示させるか、又は、前記視聴地域の候補として決定された全エリアを表示させるかをユーザに設定させる表示設定手段を備え、
前記選択手段は、
前記表示設定手段による設定にしたがって、前記視聴地域の候補を表示部に表示することを特徴とする。
【００１３】
請求項６に記載の発明は、視聴地域を設定して、デジタルテレビジョン放送信号を受信する受信手段を備える放送受信装置において、
各エリアにおけるローカル放送局のチャンネルを記憶する第１記憶手段と、
各エリアに隣接する隣接エリアを記憶する第２記憶手段と、
所定のタイミングで、デジタルテレビジョン放送における各チャンネルの受信の可否を検出する検出手段と、
前記検出手段による検出結果に基づいて、ローカル放送局のチャンネルが受信可能であるエリアと、前記第２記憶手段から取得した当該エリアの隣接エリアと、を視聴地域の候補として決定するとともに、当該ローカル放送局のチャンネルが受信可能であるエリアが複数のエリアに亘る広域圏に含まれる場合、当該広域圏に含まれる全エリアと、前記第２記憶手段から取得した当該広域圏に含まれる全エリアの隣接エリアとを、前記視聴地域の候補として決定する決定手段と、
前記決定手段により決定された前記視聴地域の候補のうち、ローカル放送局のチャンネルが受信可能であるエリアのみを前記視聴地域の候補として表示させるか、又は、前記視聴地域の候補として決定された全エリアを表示させるかをユーザに設定させる表示設定手段と、
前記表示設定手段による設定にしたがって、前記決定手段により前記視聴地域の候補として決定された前記エリアを、所定の条件に基づく順番で整列させて表示部に表示し、当該エリアのうちからユーザに一のエリアを選択させる選択手段と、
前記選択手段によりユーザにより選択された一のエリアを、視聴地域として設定する設定手段と、
を備えることを特徴とする。
【発明の効果】
【００１４】
本発明によれば、記憶手段により、各エリアにおけるローカル放送局のチャンネルが記憶され、検出手段により、所定のタイミングで、デジタルテレビジョン放送における各チャンネルの受信の可否が検出され、決定手段により、検出手段による検出結果に基づいて、少なくとも、ローカル放送局のチャンネルが受信可能であるエリアが、視聴地域の候補として決定され、選択手段により、決定手段により視聴地域の候補として決定されたエリアが表示部に表示され、当該エリアのうちからユーザにより一のエリアが選択され、設定手段により、選択手段によりユーザにより選択された一のエリアが、視聴地域として設定される。
すなわち、ユーザは、各チャンネルの受信の可否に基づいて決定された視聴地域の候補のうちからエリアを選択して視聴地域として設定することができるため、選択可能な全エリアの中からエリアを探し出して視聴地域として設定する場合と比較して、視聴地域の設定作業の容易化が図られることとなる。また、少なくともローカル放送局のチャンネルが受信可能なエリアが視聴地域の候補とされるため、より確実にユーザの居住地域を視聴地域として設定できることとなると同時に、視聴地域の候補の中から視聴地域を選択して設定することができるため、ユーザが所望するエリアを視聴地域として設定することができる。
【図面の簡単な説明】
【００１５】
【図１】本実施形態の放送受信装置の要部構成を例示するブロック図である。
【図２】第１記憶部の一例である。
【図３】第２記憶部の一例である。
【図４】表示設定プログラムの実行に際して表示部に表示されるＯＳＤ画面の一例である。
【図５】ユーザがチャンネルスキャンの開始を指示するためのＯＳＤ画面の一例である。
【図６】ローカル放送局のチャンネルが受信可能であるエリアのみを視聴地域の候補として表示させる旨の設定がなされている場合に、表示部に表示される視聴地域選択画面の一例である。
【図７】ローカル放送局のチャンネルが受信可能であるエリアの隣接エリアを含む全エリアを、視聴地域の候補として表示させる旨の設定がなされている場合に、表示部に表示される視聴地域選択画面の一例である。
【図８】視聴地域設定処理の流れを示すフローチャートである。
【図９】視聴地域設定処理の流れを示すフローチャートである。
【発明を実施するための形態】
【００１６】
以下、本発明に係る実施の形態を図面に基づいて説明する。なお、発明の範囲は図示例に限定されない。
【００１７】
図１は、本実施形態に係る放送受信装置の概略構成を示すブロック図である。なお、図１において、点線は放送データの流れを示し、実線は制御信号の流れを示している。
図１に示すように、本実施形態に係る放送受信装置１００は、ユーザが各種指示を入力するリモートコントローラ（以下、「リモコン」と称する）１と、リモコン１により遠隔操作される受信機本体２と、を備えて構成され、地上デジタルテレビジョン放送信号の受信を行う。
【００１８】
リモコン１は、ユーザが受信機本体２に対して各種指示を入力するための複数の釦を備える。複数の釦は、例えば、図示は省略するが、電源釦、番組表表示釦、ワンタッチ釦として機能する数字釦、入力切換釦、音声切換釦、戻る釦、上下左右の釦から成るカーソル釦、決定釦、チャンネルアップ／ダウン釦、ボリュームアップ／ダウン釦等である。
これらの各釦には識別情報が割り当てられており、操作が行われると、操作された釦の識別情報が読み出されて、読み出された識別情報に対応するリモコン信号が生成され、生成されたリモコン信号が図示しない送信部から送信されるようになっている。
【００１９】
リモコン信号受信部３は、図示は省略するが、フォトダイオード、ＳＵＢＣＰＵ、増幅部、復調部、デコーダ等を備えて構成されている。ＳＵＢＣＰＵは、リモコン１から送信されたリモコン信号を、前面パネルに設けられたフォトダイオードにおいて受信すると、受信したリモコン信号を増幅部により増幅させ、復調部において復調させ、デコーダにより波形整形、誤り訂正等の各種処理を行わせた後に、制御部１３に出力する。制御部１３では、入力されたリモコン信号から識別情報を取得し、取得した識別情報に基づいて操作された釦の判別を行う。
【００２０】
アンテナ４は、屋外において所定の方角に向けて配置され、テレビ放送局等から発信される高周波のデジタル放送信号を受信する。
【００２１】
チューナ５は、例えば、制御部１３からの選局指示にしたがって、アンテナ４等により入力された高周波信号のデジタル放送信号の中から特定周波数帯の信号を抽出し、低周波信号に変換した後、ＡＤ変換等を行い、復調部６に出力する。
ここで、チューナ５は、後述する検出プログラム１３６ｂの実行において、制御部１３からの制御に基づいてチャンネルスキャンを実行する。チャンネルスキャンでは、ＵＨＦ(Ultra High Frequency)、ＶＨＦ(Very High Frequency)、ケーブル帯域等の全体帯域の全周波数帯域の物理チャンネル（以下、「チャンネル」という）を走査して、受信可能なチャンネルを検出する。チューナ５におけるチャンネルスキャンの結果は、制御部１３に出力される。なお、ＵＨＦ帯域のみをスキャンするように構成しても良い。
なお、本発明において「チャンネル」とは、物理チャンネルを指す。
【００２２】
復調部６は、例えば、制御部１３からの制御に基づいて、チューナ５において選局されたチャンネルの信号に対してデジタル復調や誤り訂正等の処理を実行し、トランスポートストリーム（ＴＳ：Transport Stream）を生成して、デコーダ部７に出力する。
【００２３】
デコーダ部７は、例えば、分離部（Demultiplexer）７１、ビデオデコーダ７２、オーディオデコーダ７３、データデコーダ７４等を備えて構成されている。
【００２４】
分離部７１は、復調部６から入力されるＴＳを、ビデオストリーム、オーディオストリーム、ＰＳＩ（Program Specific Information:番組特定情報）／ＳＩ（Service Information: 番組配列情報）等の複数のストリームに分離する。そして、ＰＳＩに基づいて必要なＴＳパケットを取得し、ＭＰＥＧ２（Moving Picture Experts Group 2）規格下のビデオストリームをビデオデコーダ７２に、オーディオストリームをオーディオデコーダ７３に、さらに、ＥＰＧ（Electronic Program Guide）情報として用いられるＳＩをデータデコーダ７４に出力する。
【００２５】
ビデオデコーダ７２は、分離部７１から入力されたビデオストリームに可変長復号化、逆量子化、逆ＤＣＴ（Discrete Cosine Transform）、動き補正等の各種処理を行うことで、ビデオストリームをＤＴＳ（Decoding Time Stamp）に応じたタイミングで復号し、映像データを生成して映像処理部８に出力する。
オーディオデコーダ７３は、分離部７１から入力されたオーディオストリームを復号し、音声データを生成して音声処理部９に出力する。
【００２６】
映像処理部８は、ビデオデコーダ７２から入力された映像データに対して各種映像処理を施し、映像信号を生成する。生成された映像信号は、フレームメモリ（図示略）に一旦格納された後、ＰＴＳ（Presentation Time Stamp）に応じた再生タイミングで、表示部１１に出力される。
音声処理部９は、オーディオデコーダ７３から入力された音声データに対して各種音声処理を施して音声信号を生成し、ＰＴＳに応じた再生タイミングで、音声出力部に出力する。
【００２７】
ＯＳＤ回路１０は、制御部１３からの制御にしたがって、ＯＳＤ表示用データを生成し、生成したＯＳＤ表示用データを、映像処理部８から出力される映像信号に重畳して、表示部１１にＯＳＤ表示させる。
【００２８】
表示部１１は、例えば、ＬＣＤ（Liquid Crystal Display）、ＰＤＰ（Plasma Display Panel）、有機ＥＬ（Electro Luminescence）ディスプレイ等のディスプレイ（図示省略）を備えて構成され、映像処理部８から入力された映像信号に基づく映像をディスプレイに表示させる。
音声出力部１２は、例えば、スピーカ（図示省略）等を備えて構成され、音声処理部９から入力された音声信号に基づく音声を増幅して、スピーカにより出力させる。
【００２９】
制御部１３は、例えば、ＣＰＵ（Central Processing Unit）１３１、ＲＡＭ（Random Access Memory）１３２、第１記憶手段（記憶手段）としての第１記憶部１３３、第２記憶手段としての第２記憶部１３４、チャンネルメモリ１３５、ＲＯＭ（Read Only Memory）１３６等を備えて構成され、放送受信装置１００の各部を制御する。
【００３０】
ＣＰＵ１３１は、受信機本体２の各部から入力された入力信号や、リモコン１における各種釦の押下操作によって入力されたリモコン信号等に応じて、ＲＯＭ１３６に格納された処理プログラム等を読み出してＲＡＭ１３２に展開して実行し、受信機本体２の各部に出力信号を出力することにより、放送受信装置１００全体の制御を行う。
【００３１】
ＲＡＭ１３２は、ＣＰＵ１３１により実行される各種プログラムを展開するプログラム格納領域や、入力データやこれらの処理プログラムが実行される際に生じる処理結果等を格納するデータ格納領域を備え、ＣＰＵ１３１のワークエリアとして用いられる。
【００３２】
第１記憶部１３３は、例えば、不揮発性メモリにより構成され、各エリアにおけるローカル放送局のチャンネルを記憶する。ここで、ローカル放送局とは、一のエリア内での放送を主目的とする放送を行う放送局である。
図２に、第１記憶部１３３の一例を示す。図２の第１記憶部１３３では、東京都のローカル放送局としての「東京メトロポリタンテレビジョン（株）」のチャンネル「２０」、千葉県のローカル放送局としての「千葉テレビ放送（株）」のチャンネル「３０」、埼玉県のローカル放送局としての「（株）テレビ埼玉」のチャンネル「３２」、神奈川県のローカル放送局としての「（株）テレビ神奈川」のチャンネル「１８」、群馬県のローカル放送局としての「群馬テレビ（株）」のチャンネル「１９」、栃木県のローカル放送局としての「（株）とちぎテレビ」のチャンネル「２９」が記憶されている。
【００３３】
第２記憶部１３４は、例えば、不揮発性メモリにより構成され、各エリアに隣接する隣接エリアを記憶する。
図３に、第２記憶部１３４の一例を示す。図３の第２記憶部１３４では、各エリアの隣接エリアが、地域識別番号とともに記憶されており、例えば、千葉県の隣接エリアとして、「茨城県、埼玉県、東京都、神奈川県」の４つのエリアが記憶されている。
【００３４】
チャンネルメモリ１３５は、例えば、不揮発性メモリにより構成され、チャンネルスキャンにより検出された受信可能なチャンネルの情報を記憶する。
【００３５】
ＲＯＭ１３６は、処理プログラムやデータ等を予め記憶しており、例えば、表示設定手段としての表示設定プログラム１３６ａ、検出手段としての検出プログラム１３６ｂ、決定手段としての決定プログラム１３６ｃ、選択手段としての選択プログラム１３６ｄ、設定手段としての設定プログラム１３６ｅ等が格納されている。
【００３６】
表示設定プログラム１３６ａは、ＣＰＵ１３１に、決定プログラム１３６ｃの実行において決定された視聴地域の候補のうち、ローカル放送局のチャンネルが受信可能であるエリアのみを視聴地域の候補として表示させるか、又は、視聴地域の候補として決定された全エリアを表示させるかをユーザに設定させる機能を実現させるためのプログラムである。ＣＰＵ１３１は、かかる表示設定プログラム１３６ａを実行することにより、表示設定手段を構成する。
【００３７】
検出プログラム１３６ｂは、ＣＰＵ１３１に、所定のタイミングで、デジタルテレビジョン放送における各チャンネルの受信の可否を検出する機能を実現させるためのプログラムである。ＣＰＵ１３１は、かかる検出プログラム１３６ｂを実行することにより、チューナ５とともに検出手段を構成する。
ここで、チャンネルスキャンを実行する所定のタイミングは、例えば、ユーザがチャンネルスキャンの開始を指示したタイミングである。また、その他、工場出荷後の電源投入時や、放送受信装置の移動時、所定時間毎のタイミング等に自動的にチャンネルスキャンを実行するように構成しても良い。
【００３８】
決定プログラム１３６ｃは、ＣＰＵ１３１に、検出プログラム１３６ｂによる検出結果に基づいて、ローカル放送局のチャンネルが受信可能であるエリアと、当該エリアの隣接エリアと、を視聴地域の候補として決定するとともに、当該ローカル放送局のチャンネルが受信可能であるエリアが複数のエリアに亘る広域圏に含まれる場合、当該広域圏に含まれる全エリアと当該広域圏に含まれる全エリアの隣接エリアとを、視聴地域の候補として決定する機能を実現するためのプログラムである。ＣＰＵ１３１は、かかる決定プログラム１３６ｃを実行することにより、決定手段を構成する。
【００３９】
選択プログラム１３６ｄは、ＣＰＵ１３１に、表示設定プログラム１３６ａの実行による設定にしたがって、決定プログラム１３６ｃの実行において視聴地域の候補として決定されたエリアを、所定の条件に基づく順番で整列させて表示部１１に表示し、当該エリアのうちからユーザに一のエリアを選択させる機能を実現させるためのプログラムである。ＣＰＵ１３１は、かかる選択プログラム１３６ｄを実行することにより、選択手段を構成する。
【００４０】
設定プログラム１３６ｅは、ＣＰＵ１３１に、選択プログラム１３６ｄの実行においてユーザにより選択された一のエリアを、視聴地域として設定する機能を実現させるためのプログラムである。ＣＰＵ１３１は、かかる設定プログラム１３６ｅを実行することにより、設定手段を構成する。
【００４１】
ここで、図４〜図７、図８及び図９のフローチャートを参照しながら、上述の表示設定プログラム１３６ａ、検出プログラム１３６ｂ、決定プログラム１３６ｃ、選択プログラム１３６ｄ、設定プログラム１３６ｅ等の実行により、本放送受信装置１００で行われる視聴地域設定処理について説明する。
【００４２】
まず、ＣＰＵ１３１は、表示設定プログラム１３６ａを実行することにより、図４に例示するＯＳＤ画面を表示部１１に表示させ、ユーザに、ローカル放送局のチャンネルが受信可能であるエリアのみを視聴地域の候補として表示させるか、又は、ローカル放送局のチャンネルが受信可能であるエリアだけでなく、視聴地域の候補として決定された全エリアを表示させるかをユーザに選択させる。
【００４３】
図４のＯＳＤ画面上で、ローカル放送局のチャンネルが受信可能であるエリアのみを視聴地域の候補として表示させる旨が設定された場合には、後述するように、選択プログラム１３６ｄの実行において、ローカル放送局のチャンネルが受信可能であるエリアのみが視聴地域の候補として表示部１１に表示されることとなる。
一方、図４のＯＳＤ画面上で、視聴地域の候補として決定された全エリアを表示させる旨が設定された場合には、後述するように、選択プログラム１３６ｄの実行において、ローカル放送局のチャンネルが受信可能であるエリアだけでなく、その隣接エリアが視聴地域の候補として表示部１１に表示され、さらに、ローカル放送局のチャンネルが受信可能なエリアが広域圏に含まれる場合には、その広域圏を構成する全エリアと、全エリアの隣接エリアとが、視聴地域の候補として表示部１１に表示されることとなる。
【００４４】
次いで、ＣＰＵ１３１は、図５に例示するＯＳＤ画面を表示部１１に表示させ、チャンネルスキャンを開始するか否かをユーザに選択させる（図８のステップＳ１）。図５のＯＳＤ画面上で、ユーザがチャンネルスキャンの開始を指示すると（図８のステップＳ２：Ｙｅｓ）、ＣＰＵ１３１は、検出プログラム１３６ｂを実行し、チューナ５に選局指示信号を出力して、ＵＨＦ、ＶＨＦ、ケーブル帯域の全チャンネルを順次選局させ（図８のステップＳ３）、チューナ５からの信号に基づいて、各チャンネルの受信の可否を検出する（図８のステップＳ４）。
ＣＰＵ１３１は、チャンネルが受信可能である場合には（図８のステップＳ４；Ｙｅｓ）、受信可能なチャンネルの情報（例えば、受信帯域、受信チャンネル、受信レベル、地域識別、サービス番号等）を取得して（図８のステップＳ５）、チャンネルメモリ１３５に出力して記憶させる。
さらに、ＣＰＵ１３１は、全帯域の全チャンネルのスキャンが終了したと判断すると（図８のステップＳ６；Ｙｅｓ）、チャンネルスキャン処理を終了する。
【００４５】
次いで、ＣＰＵ１３１は、決定プログラム１３６ｃを実行し、受信可能なチャンネルが有るか否かを判断する（図８のステップＳ７）。ＣＰＵ１３１は、受信可能なチャンネルが有ると判断すると（図８のステップＳ７；Ｙｅｓ）、ローカル放送局のチャンネルが受信可能か否かを判断し、ローカル放送局のチャンネルが受信可能なエリアを、視聴地域の候補として決定する（図８のステップＳ８）。
【００４６】
例えば、チャンネルスキャンの結果、東京都のローカル放送局「東京メトロポリタンテレビジョン（株）」のチャンネルと、千葉県のローカル放送局「千葉テレビ放送（株）」のチャンネルと、埼玉県のローカル放送局「（株）テレビ埼玉」のチャンネルとが、受信可能なチャンネルとして検出された場合には、ＣＰＵ１３１は、ローカル放送局のチャンネルが受信可能な「東京都、千葉県、埼玉県」の３つのエリアを、視聴地域の候補として決定する。
【００４７】
次いで、ＣＰＵ１３１は、第２記憶部１３４を参照して、ローカル放送局のチャンネルが受信可能なエリアの隣接エリアを特定し、これらの隣接エリアを視聴地域の候補として決定する（図９のステップＳ９）。
【００４８】
例えば、ＣＰＵ１３１は、ローカル放送局のチャンネルが受信可能なエリア「東京都、千葉県、埼玉県」の隣接エリア「埼玉県、千葉県、神奈川県、山梨県（東京都の隣接エリア）」、「茨城県、埼玉県、東京都、神奈川県(千葉県の隣接エリア)」、「茨城県、栃木県、群馬県、千葉県、東京都、山梨県(埼玉県の隣接エリア)」を特定すると、既に視聴地域の候補として特定されたエリアとの重複を排除して、「神奈川県（東京都、千葉県の隣接エリア）」、「山梨県（東京都、埼玉県の隣接エリア）」、「茨城県(千葉県、埼玉県の隣接エリア)」、「群馬県(埼玉県の隣接エリア)」、「栃木県（埼玉県の隣接エリア）」の５つのエリアを、視聴地域の候補に加える。
【００４９】
さらに、ＣＰＵ１３１は、ローカル放送局のチャンネルが受信可能であるエリアは広域圏に含まれるか否かを判断する（図９のステップＳ１０）。ＣＰＵ１３１は、ローカル放送局のチャンネルが受信可能であるエリアは広域圏に含まれると判断すると（図９のステップＳ１０；Ｙｅｓ）、その広域圏に含まれる全エリアと、その広域圏に含まれる全エリアの隣接エリアとを、視聴地域の候補として決定する（図９のステップＳ１１）。
【００５０】
例えば、ローカル放送局のチャンネルが受信可能である各エリア「東京都、千葉県、埼玉県」は、関東広域圏に含まれるエリアであるため、ＣＰＵ１３１は、ローカル放送局のチャンネルが受信可能であるエリアは広域圏に含まれると判断する。そして、関東広域圏に含まれる全エリア「茨城県、栃木県、群馬県、埼玉県、千葉県、東京都、神奈川県」と、関東広域圏に含まれる全エリアの隣接エリア「福島県、栃木県、埼玉県、千葉県（茨城県の隣接エリア）」、「福島県、茨城県、群馬県、埼玉県（栃木県の隣接エリア）」、「福島県、栃木県、埼玉県、新潟県、長野県（群馬県の隣接エリア）」、「茨城県、栃木県、群馬県、千葉県、東京都、山梨県（埼玉県の隣接エリア）」、「茨城県、埼玉県、東京都、神奈川県（千葉県の隣接エリア）」、「埼玉県、千葉県、神奈川県、山梨県（東京都の隣接エリア）」、「千葉県、東京都、山梨県、静岡県（神奈川県の隣接エリア）」とを特定すると、既に視聴地域の候補として特定されたエリアとの重複を排除して、「福島県（栃木県と群馬県の隣接エリア）」、「長野県（群馬県の隣接エリア）」、「静岡県（神奈川県の隣接エリア）」、「新潟県（群馬県の隣接エリア）」を隣接地域の候補に加える。
【００５１】
次いで、ＣＰＵ１３１は、ローカル放送局のチャンネルが受信可能であるエリアのみを視聴地域の候補として表示させる旨が設定されているか否かを判断する（図９のステップＳ１２）。ＣＰＵ１３１は、ローカル放送局のチャンネルが受信可能であるエリアのみを視聴地域の候補として表示させる旨が設定されていると判断すると（図９のステップＳ１２；Ｙｅｓ）、選択プログラム１３６ｄを実行し、表示部１１に、ローカル放送局のチャンネルが受信可能であるエリアのみを選択可能な視聴地域選択画面を表示させる（図９のステップＳ１３）。
一方、ＣＰＵ１３１は、ローカル放送局のチャンネルが受信可能であるエリアだけでなく、視聴地域の候補として決定された全エリアを表示させる旨が設定されていると判断すると（図９のステップＳ１２；Ｎｏ）、選択プログラム１３６ｄを実行し、表示部１１に、視聴地域の候補として決定された全エリアを選択可能な視聴地域選択画面を表示させる（図９のステップＳ１４）。
【００５２】
このとき、ＣＰＵ１３１は、視聴地域の候補として決定したエリアを、下記に示す優先順位（１）〜（４）の順番に整列させ、視聴地域選択画面上に表示する。
優先順位（１）は、ローカル放送局が受信可能なエリアである。なお、優先順位（１）に該当するエリアが複数存在する場合には、優先順位（１ａ）として、受信可能なローカル放送局の数が多い順にソートする。優先順位（１ａ）に該当するエリアが複数存在する場合には、優先順位（１ｂ）として、ローカル放送局の受信レベルが高い順にソートする。さらに、優先順位（１ｂ）に該当するエリアが複数存在する場合には、優先順位（１ｃ）として、地域識別番号が小さい順にソートする。
優先順位（２）は、優先順位（１）が広域圏に含まれる場合において、その広域圏内の全エリアである。なお、優先順位（２）に該当するエリアが複数存在する場合には、優先順位（２ａ）として、地域識別番号が小さい順にソートする。
優先順位（３）は、ローカル放送局が受信可能なエリアの隣接エリアである。なお、優先順位（３）に該当するエリアが複数存在する場合には、優先順位（３ａ）として、地域識別番号が小さい順にソートする。
優先順位（４）は、広域圏内の全エリアの隣接エリアである。なお、優先順位（４）に該当するエリアが複数存在する場合には、優先順位（４ａ）として、地域識別番号が小さい順にソートする。
なお、上述の優先順位は一例であり、表示の優先順位は任意であって良い。
【００５３】
図６は、ローカル放送局のチャンネルが受信可能であるエリアのみを視聴地域の候補として表示させる旨の設定がなされている場合に表示される視聴地域選択画面の例示である。
図６の視聴地域選択画面では、チャンネルスキャンにおいて、ローカル放送局が受信可能であったエリア「東京都、千葉県、埼玉県」が、視聴地域の候補として一覧表示されている。そして、視聴地域の候補としての各エリアについて、その地域識別番号（例えば、「２３」）、ローカル放送局の受信レベル（例えば、「２９」）、受信可能なローカル放送局の数（例えば、「１」）、そのエリアが広域圏に含まれるか否か（例えば、広域圏に含まれる場合には「○」、広域圏に含まれない場合には「−」）の各種情報が表示されている。
また、視聴地域の候補の一覧には、一のエリアを選択するためのカーソルＣが表示されており、画面右側には、カーソルＣにより選択されているエリア（図６では「東京都」）のローカル放送局（例えば、「東京メトロポリタンテレビジョン（株）」）と、その受信レベル（例えば、「２９」）が表示されている。
【００５４】
さらに、図６の視聴地域選択画面では、視聴地域の候補が、上述の優先順位（１）〜（４）の順番で表示されている。すなわち、優先順位（１）に該当する「東京都、千葉県、埼玉県（ローカル放送局が受信可能であるエリア）」が、優先順位（１ｂ）に従って、受信レベルの高い順に表示されている。
【００５５】
また、図７は、ローカル放送局のチャンネルが受信可能であるエリアだけでなく、視聴地域の候補として決定された全エリアを表示させる旨の設定がなされている場合に表示される視聴地域選択画面の例示である。
図７の視聴地域選択画面では、チャンネルスキャンにおいて、ローカル放送局が受信可能であったエリア「東京都、千葉県、埼玉県」が視聴地域の候補として一覧表示されている。
また、ローカル放送局が受信可能であったエリア「東京都、千葉県、埼玉県」の隣接エリア「神奈川県（東京都と千葉県の隣接エリア）、群馬県（埼玉県の隣接エリア）、茨城県（千葉県と埼玉県の隣接エリア）、栃木県（埼玉県の隣接エリア）、山梨県（東京都、埼玉県の隣接エリア）」が、視聴地域の候補として一覧表示されている。
さらに、ローカル放送局が受信可能であったエリア「東京都、千葉県、埼玉県」は関東広域圏に含まれる。そのため、関東広域圏に含まれる全エリアと、その隣接エリアが、視聴地域の候補として一覧表示されている。すなわち、関東広域圏に含まれるエリアであって、ローカル放送局が受信不可能であったエリア「神奈川県、群馬県、茨城県、栃木県」の隣接エリア「福島県（栃木県と群馬県の隣接エリア）、長野県（群馬県の隣接エリア）、静岡県（神奈川県の隣接エリア）、新潟県（群馬県の隣接エリア）」が、視聴地域の候補として一覧表示されている。
また、図６と同様に、視聴地域の候補の一覧には、一のエリアを選択するためのカーソルＣが表示されており、画面右側には、カーソルＣにより選択されているエリア（図７では「東京都」）のローカル放送局（例えば、「東京メトロポリタンテレビジョン（株）」）と、その受信レベル（例えば、「２９」）が表示されている。さらに、広域圏に含まれるエリアである場合には、図７に示すように、広域圏の放送局も併せて表示しても良い。
なお、図７では「静岡県、新潟県」が表示可能範囲を外れて表示されていないが、リモコン１のカーソル釦を操作して画面上のカーソルＣを移動させることにより表示されるようになっている。
【００５６】
さらに、図７の視聴地域選択画面では、視聴地域の候補が、上述の優先順位（１）〜（４）の順番で表示されている。
すなわち、優先順位（１）に該当する「東京都、千葉県、埼玉県（ローカル放送局が受信可能であるエリア）」が、優先順位（１ｂ）に従って、受信レベルの高い順に表示されている。
次に、優先順位（２）に該当する「神奈川県、群馬県、茨城県、栃木県（広域圏内の他のエリア）」が、優先順位（２ａ）に従って、地域識別番号が小さい順に表示されている。
次に、優先順位（３）に該当する「山梨県（ローカル放送局が受信可能であったエリアの隣接エリア）」が表示されている。
次に、優先順位（４）に該当する「福島県、長野県、静岡県、新潟県（広域圏内の他のエリアの隣接エリア）」が、優先順位（４ａ）に従って、地域識別番号が小さい順に表示されている。
【００５７】
図６又は図７に例示する視聴地域選択画面において、ユーザは、リモコン１のカーソル釦を操作して、視聴地域の候補の一覧から視聴地域として設定したいエリア（例えば、「東京都」）上にカーソルＣを移動させて決定釦を操作し、視聴地域を選択する。
【００５８】
ＣＰＵ１３１は、表示部１１の視聴地域選択画面において、ユーザにより視聴地域が選択されたか否かを判断し（図９のステップＳ１５）、視聴地域が選択されたと判断すると（図９のステップＳ１５；Ｙｅｓ）、設定プログラム１３６ｅを実行し、ユーザにより選択されたエリアを視聴地域として所定の記憶領域に記憶し、視聴地域を設定する。そして、リモコン１のワンタッチ釦に受信可能なチャンネルを割付ける処理を行う（図９のステップＳ１６）。さらに、ＣＰＵ１３１は、“視聴地域の設定に間違いがあれば、メニュー設定により視聴地域の変更をお願いします”とのＯＳＤ画面を表示部１１に表示させ（図９のステップＳ１７）、視聴地域の設定処理を終了する。
これにより、視聴地域選択画面上でユーザにより選択された一のエリアが、視聴地域として設定されることとなる。
【００５９】
以上説明した本実施形態の放送受信装置１００によれば、第１記憶部１３３（第１記憶手段、記憶手段）により、各エリアにおけるローカル放送局のチャンネルが記憶され、第２記憶部１３４（第２記憶手段）により、各エリアに隣接する隣接エリアが記憶される。また、検出プログラム１３６ｂ（検出手段）の実行により、所定のタイミングで、デジタルテレビジョン放送における各チャンネルの受信の可否が検出され、決定プログラム１３６ｃ（決定手段）の実行により、検出プログラム１３６ｂの実行による検出結果に基づいて、少なくとも、ローカル放送局のチャンネルが受信可能であるエリアが、視聴地域の候補として決定される。また、決定プログラム１３６ｃは、ローカル放送局のチャンネルが受信可能であるエリアの他、当該エリアの隣接エリアを、視聴地域の候補に加えるとともに、複数のエリアに亘る広域圏のローカル放送局が受信可能である場合、当該広域圏に含まれる全エリアと、当該広域圏に含まれるエリアの隣接エリアとを、視聴地域の候補に加える。
また、表示設定プログラム１３６ａ（表示設定手段）の実行により、決定プログラム１３６ｃの実行により決定された視聴地域の候補のうち、ローカル放送局のチャンネルが受信可能であるエリアのみを視聴地域の候補として表示させるか、又は、視聴地域の候補として決定された全エリアを表示させるかがユーザにより設定される。そして、表示設定プログラム１３６ａによる設定にしたがって、決定プログラム１３６ｃの実行により視聴地域の候補として決定されたエリアが、所定の条件に基づく順番で整列させて表示部１１に表示され、選択プログラム１３６ｄ（選択手段）の実行により、当該エリアのうちからユーザに一のエリアが選択され、設定プログラム１３６ｅ（設定手段）の実行により、選択プログラム１３６ｄによりユーザにより選択された一のエリアが、視聴地域として設定される。
すなわち、ユーザは、各チャンネルの受信の可否に基づいて決定された視聴地域の候補のうちからエリアを選択して視聴地域として設定することができるため、選択可能な全エリアの中からエリアを探し出して視聴地域として設定する場合と比較して、視聴地域の設定作業の容易化が図られることとなる。また、少なくともローカル放送局のチャンネルが受信可能なエリアが視聴地域の候補とされるため、より確実にユーザの居住地域を視聴地域として設定できることとなると同時に、視聴地域の候補の中から視聴地域を選択して設定することができるため、ユーザが所望するエリアを視聴地域として設定することができる。
【００６０】
また、決定プログラム１３６ｃにより視聴地域の候補として決定されたエリアが、所定の条件に基づく順番で整列されて表示部１１に表示されるため、視聴地域の選択の更なる容易化が図られることとなる。
【００６１】
また、ローカル放送局のチャンネルが受信可能であるエリアの他、当該エリアの隣接エリアが、視聴地域の候補に加えられるため、視聴地域の選択の幅が広がるとともに、ローカル放送局のチャンネルが受信可能なエリアに隣接するエリアを、視聴地域の候補とすることができる。
【００６２】
また、複数のエリアに亘る広域圏のローカル放送局が受信可能である場合、当該広域圏に含まれる全エリアと、当該広域圏に含まれるエリアの隣接エリアとが、視聴地域の候補に加えられるため、視聴地域の選択の幅がより広がることとなる。
【００６３】
さらに、ローカル放送局のチャンネルが受信可能であるエリアのみを視聴地域の候補として表示させるか、又は、視聴地域の候補として決定された全エリアを表示させるかがユーザにより設定されるため、ユーザの使い勝手が向上することとなる。
【００６４】
なお、本発明の範囲は上記実施の形態に限られることなく、本発明の趣旨を逸脱しない範囲において、種々の改良並びに設計の変更を行っても良い。
例えば、ローカル放送局のチャンネルの受信レベルが所定レベル未満（例えば、ゼロ）のエリアは、視聴地域選択画面上の一覧から除外するように構成しても良い。
【産業上の利用可能性】
【００６５】
本発明は、放送受信装置の製造業等に利用可能である。
【符号の説明】
【００６６】
１００    放送受信装置
５        チューナ（受信手段）
１１      表示部
１３１    ＣＰＵ（表示設定手段、検出手段、決定手段、選択手段、設定手段）
１３３    第１記憶部（第１記憶手段、記憶手段）
１３４    第２記憶部（第２記憶手段）
１３６ａ  表示設定プログラム（表示設定手段）
１３６ｂ  検出プログラム（検出手段）
１３６ｃ  決定プログラム（決定手段）
１３６ｄ  選択プログラム（選択手段）
１３６ｅ  設定プログラム（設定手段）
【図１】
2010177844.tif 000003
【図２】
2010177844.tif 000004
【図３】
2010177844.tif 000005
【図４】
2010177844.tif 000006
【図５】
2010177844.tif 000007
【図６】
2010177844.tif 000008
【図７】
2010177844.tif 000009
【図８】
2010177844.tif 000010
【図９】
2010177844.tif 000011